(57)【要約】【課題】デバイス機能性を改善するための機械読取可能タグ及びタグ読取装置のパーソナル通信デバイスとの統合に関する技術を提供する。【解決手段】パーソナル通信デバイス内のＲＦタグ読取装置とユーザに関連する異なる場所に配置されたＲＦタグとの使用を含む、パーソナル通信デバイスの機能へのショートカットを作成するための装置、システム、方法、及びコンピュータプログラム製品。ＲＦ情報を受信すると、パーソナル通信デバイスは、メモリに保存された予め設定されたショートカットを実行し、新しいショートカットを選択又は作成するようにユーザを促す。ショートカットを保存するための記憶域は、パーソナル通信デバイス内のメモリ、ＲＦタグ内のメモリ、又はネットワークサーバ内のメモリとすることができる。ショートカットは、少なくとも、ＲＦタグＩＤ、指令の説明、マクロ又はスクリプト、及びショートカットのフォーマット及び特性を定義する情報を含む。ショートカットが実行されると、パーソナル通信デバイスの機能を制御するためのアプリケーションプログラムが選択される。【選択図】図２
2007524154.tif 000002
【特許請求の範囲】
【請求項１】
パーソナル通信デバイス内のパーソナライズされた機能へのショートカットを作成する方法であって、
パーソナル通信デバイス内のＲＦタグ読取装置を使用してＲＦタグ情報を受信して復号化する段階と、
前記受信したＲＦタグ情報に基づいてショートカットに関して記憶域を走査する段階と、
前記メモリ域に保存されて前記受信したＲＦタグ情報に基づいて実行される新しいショートカットを選択又は作成するためのインタフェースを提供する段階と、
を含み、
前記ショートカットは、少なくとも前記ＲＦタグ情報と、該ショートカットの前記実行に応答して前記パーソナル通信デバイス内の少なくとも１つのパーソナライズされた機能を発生させるためのアプリケーションプログラムを選択して作成するための指令とを含む、
ことを特徴とする方法。
【請求項２】
前記インタフェースを提供する段階は、前記ショートカットの前記実行に応答して指令マクロ又はスクリプトの実行を可能にするために、前記選択又は作成された新しいショートカットを前記記憶域内の前記ＲＦタグ情報に関連付けるための前記パーソナル通信デバイスに保存された前記アプリケーションプログラムを割り当てる指令を開始する段階を含むことを特徴とする請求項１に記載の方法。
【請求項３】
前記記憶域は、ＲＦタグ内のメモリであることを特徴とする請求項１に記載の方法。
【請求項４】
前記記憶域は、前記パーソナル通信デバイス内のメモリであることを特徴とする請求項１に記載の方法。
【請求項５】
前記記憶域は、公衆通信ネットワークを通じてアクセス可能なネットワークサーバ内のメモリであることを特徴とする請求項１に記載の方法。
【請求項６】
ＲＦタグ情報は、タグ認識情報を含むことを特徴とする請求項１に記載の方法。
【請求項７】
前記ＲＦタグは、パッシブ又はアクティブであることを特徴とする請求項２に記載の方法。
【請求項８】
前記ショートカットを用いて前記ＲＦタグをプログラムする段階を更に含むことを特徴とする請求項２に記載の方法。
【請求項９】
前記メモリは、書込み保護された安全なメモリであることを特徴とする請求項８に記載の方法。
【請求項１０】
前記ネットワークサーバと別のパーソナル通信デバイスの間の通信のためにパブリックネットワークへのネットワーク接続を確立する段階を更に含むことを特徴とする請求項５に記載の方法。
【請求項１１】
前記ネットワーク接続は、無線ネットワーク接続であり、前記パーソナル通信デバイスとの間でデータを送受信するための無線通信プロトコルを使用することを特徴とする請求項１０に記載の方法。
【請求項１２】
前記アプリケーションプログラムの実行は、前記パーソナル通信デバイスの前記少なくとも１つの機能を制御することを特徴とする請求項１に記載の方法。
【請求項１３】
前記少なくとも１つの機能は、データを表示すること、電話を掛けること、別のデバイスに通信を送ること、写真を撮ること、パブリックネットワークに接続すること、設定又はツールを変更すること、又は前記パーソナル通信デバイスによって実行される他の同様の機能を含むことを特徴とする請求項１２に記載の方法。
【請求項１４】
前記別のデバイスへの通信は、「インターネット」上にショートカットを公開することによって該ショートカットを別のデバイスに送信する段階を含むことを特徴とする請求項１３に記載の方法。
【請求項１５】
各々がパーソナル通信デバイスを有する複数のユーザに、各パーソナル通信デバイス内の異なる機能を実行するＲＦ情報を送信する段階を更に含むことを特徴とする請求項１に記載の方法。
【請求項１６】
前記ネットワークサーバのメモリに保存された前記ショートカットは、前記パブリックネットワークへのアクセスを有する他のデバイス又はユーザに利用可能であることを特徴とする請求項１０に記載の方法。
【請求項１７】
前記ＲＦタグは、ＲＦＩＤタグであり、前記ＲＦ読取装置は、ＲＦＩＤ読取装置であることを特徴とする請求項１に記載の方法。
【請求項１８】
前記メモリ域を走査する前記段階は、ネットワークリソースのより効率的な使用のために優先順位付けされていることを特徴とする請求項１に記載の方法。
【請求項１９】
前記優先順位付けは、パーソナル通信デバイスによって受信した前記ＲＦタグ情報に対応するショートカットに関してネットワークサーバメモリを走査する前に、ショートカットに関してＲＦタグメモリを走査する段階及び／又は該パーソナル通信デバイスメモリを走査する段階を伴うことを特徴とする請求項１８に記載の方法。
【請求項２０】
パーソナル通信デバイス内のパーソナライズされた機能へのショートカットを作成する方法であって、
パーソナル通信デバイス内の撮像装置を使用して機械読取可能読取可能データを捕捉する段階と、
前記機械読取可能読取可能データを復号化する段階と、
前記機械読取可能読取可能データに基づいてショートカットに関して記憶域を走査する段階と、
前記メモリ域に保存されて前記受信した機械読取可能読取可能データに基づいて実行される新しいショートカットを選択又は作成するためのインタフェースを提供する段階と、
を含み、
前記ショートカットは、少なくとも機械読取可能読取可能情報と、該ショートカットの前記実行に応答して前記パーソナル通信デバイス内の少なくとも１つのパーソナライズされた機能を発生させるためのアプリケーションプログラムを選択して実行するための指令とを含む、
ことを特徴とする方法。
【請求項２１】
前記インタフェースを提供する段階は、前記ショートカットの前記実行に応答して指令マクロ又はスクリプトの実行を可能にするために、前記選択又は作成された新しいショートカットを前記記憶域内の前記ＲＦタグ情報に関連付けるための前記パーソナル通信デバイスに保存された前記アプリケーションプログラムを割り当てる指令を開始する段階を含むことを特徴とする請求項２０に記載の方法。
【請求項２２】
前記機械読取可能読取可能データは、バーコードであることを特徴とする請求項２０に記載の方法。
【請求項２３】
前記撮像装置は、デジタルカメラであることを特徴とする請求項２０に記載の方法。
【請求項２４】
前記機械読取可能読取可能データは、認識情報を含むことを特徴とする請求項２０に記載の方法。
【請求項２５】
パーソナル通信デバイス内のパーソナライズされた機能へのショートカットを作成するためのコンピュータプログラム製品であって、
プログラムコードを保存するためのコンピュータ読取可能読取可能媒体と、
パーソナル通信デバイス内のＲＦタグ読取装置を使用してＲＦタグ情報を受信して復号化するためのプログラムコードと、
前記受信したＲＦタグ情報に基づいてショートカットに関して記憶域を走査するためのプログラムコードと、
前記メモリ域に保存されて前記受信したＲＦタグ情報に基づいて実行される新しいショートカットを選択又は作成するためのインタフェースを提供するためのプログラムコードと、
を含み、
前記ショートカットは、少なくとも前記ＲＦタグ情報と、該ショートカットの前記実行に応答して前記パーソナル通信デバイス内の少なくとも１つのパーソナライズされた機能を発生させるためのアプリケーションプログラムを選択するための指令とを含む、
ことを特徴とするコンピュータプログラム製品。
【請求項２６】
前記インタフェースを提供する段階は、前記ショートカットの前記実行に応答して指令マクロ又はスクリプトの実行を可能にするために、前記選択又は作成された新しいショートカットを前記記憶域内の前記ＲＦタグ情報に関連付けるための前記パーソナル通信デバイスに保存された前記アプリケーションプログラムを割り当てる指令を開始する段階を含むことを特徴とする請求項２５に記載のコンピュータプログラム製品。
【請求項２７】
前記記憶域は、ＲＦタグ内のメモリであることを特徴とする請求項２５に記載のコンピュータプログラム製品。
【請求項２８】
前記記憶域は、前記パーソナル通信デバイス内のメモリであることを特徴とする請求項２５に記載のコンピュータプログラム製品。
【請求項２９】
前記記憶域は、公衆通信ネットワークを通じてアクセス可能なネットワークサーバ内のメモリであることを特徴とする請求項２５に記載のコンピュータプログラム製品。
【請求項３０】
前記ＲＦタグ内の前記メモリは、書込み保護された安全なメモリであることを特徴とする請求項２７に記載のコンピュータプログラム製品。
【請求項３１】
前記ＲＦタグ情報は、ＲＦタグ認識情報を含むことを特徴とする請求項２５に記載のコンピュータプログラム製品。
【請求項３２】
ネットワークサーバと前記パーソナル通信デバイスの間の通信のためにパブリックネットワークへのネットワーク接続を確立するためのプログラムコードを更に含むことを特徴とする請求項２５に記載のコンピュータプログラム製品。
【請求項３３】
前記ネットワーク接続は、前記パーソナル通信デバイスとの間でデータを送受信するための無線ネットワークプロトコルを使用することを特徴とする請求項３２に記載のコンピュータプログラム製品。
【請求項３４】
前記パーソナル通信デバイスの前記少なくとも１つの機能を制御するショートカットに基づいて前記アプリケーションプログラムを実行するためのプログラムコードを更に含むことを特徴とする請求項２５に記載のコンピュータプログラム製品。
【請求項３５】
アプリケーションプログラムは、データを表示すること、電話を掛けること、別のデバイスに通信を送ること、写真を撮ること、パブリックネットワークに接続すること、設定又はツールを変更すること、及び前記パーソナル通信デバイスによって実行される他の同様の機能のためであることを特徴とする請求項３４に記載のコンピュータプログラム製品。
【請求項３６】
前記ショートカットを「インターネット」上に公開することにより該ショートカットを別のデバイスに通信するためのプログラムコードを更に含むことを特徴とする請求項２５に記載のコンピュータプログラム製品。
【請求項３７】
複数のユーザに彼らのそれぞれのパーソナル通信デバイスにおける各々が異なるアプリケーションプログラムの実行のために前記ＲＦ情報を送信するためのプログラムコードを更に含むことを特徴とする請求項２５に記載のコンピュータプログラム製品。
【請求項３８】
前記ＲＦタグは、ＲＦＩＤタグであり、前記ＲＦ読取装置は、ＲＦＩＤ読取装置であることを特徴とする請求項２５に記載のコンピュータプログラム製品。
【請求項３９】
前記記憶域の前記走査は、ネットワークリソースのより効率的な使用のために優先順位付けされていることを特徴とする請求項２５に記載のコンピュータプログラム製品。
【請求項４０】
前記優先順位付けは、パーソナル通信デバイスによって受信した前記ＲＦタグ情報に対応するショートカットに関してネットワークサーバメモリを走査する前に、ショートカットに関してＲＦタグメモリを走査する段階及び／又は該パーソナル通信デバイスメモリを走査する段階を伴うことを特徴とする請求項３９に記載のコンピュータプログラム製品。
【請求項４１】
パーソナル通信デバイス内のパーソナライズされた機能へのショートカットを作成するためのコンピュータプログラム製品であって、
プログラムコードを保存するためのコンピュータ読取可能読取可能媒体と、
パーソナル通信デバイス内の撮像装置を使用して機械読取可能データを捕捉するためのプログラムコードと、
前記機械読取可能データを復号化するためのプログラムコードと、
前記機械読取可能データに基づいてショートカットに関して記憶域を走査するためのプログラムコードと、
前記記憶域に保存されて前記機械読取可能データに基づいて実行される新しいショートカットを選択又は作成するためのインタフェースを提供するためのプログラムコードと、
を含み、
前記ショートカットは、少なくとも前記機械読取可能情報と、該ショートカットの前記実行に応答して前記パーソナル通信デバイス内の少なくとも１つのパーソナライズされた機能を発生させるためのアプリケーションプログラムを選択及び実行するための指令とを含む、
ことを特徴とするコンピュータプログラム製品。
【請求項４２】
前記インタフェースを提供する段階は、前記ショートカットの前記実行に応答して指令マクロ又はスクリプトの実行を可能にするために、前記選択又は作成された新しいショートカットを前記記憶域内の前記ＲＦタグ情報に関連付けるための前記パーソナル通信デバイスに保存された前記アプリケーションプログラムを割り当てる指令を開始する段階を含むことを特徴とする請求項４１に記載のコンピュータプログラム製品。
【請求項４３】
前記機械読取可能データは、バーコードであることを特徴とする請求項４１に記載のコンピュータプログラム製品。
【請求項４４】
前記撮像装置は、デジタルカメラであることを特徴とする請求項４１に記載のコンピュータプログラム製品。
【請求項４５】
前記機械読取可能データは、認識情報を含むことを特徴とする請求項４１に記載のコンピュータプログラム製品。
【請求項４６】
パーソナル通信デバイス内のパーソナライズされた機能へのショートカットを作成するためのシステムであって、
ＲＦ信号を受信して復号化するためのパーソナル通信デバイス内のＲＦタグ読取装置と、
特定の場所に配置されて前記ＲＦ読取装置に少なくともＲＦタグ情報を送信する少なくとも１つのＲＦタグと、
少なくとも１つのショートカットを保存するための記憶域と、
ショートカットに関して前記記憶域を走査して、前記ＲＦタグ情報に基づいて実行される新しいショートカットの選択又は作成を促すための前記パーソナル通信デバイス内のプロセッサと、
を含み、
前記ショートカットは、少なくとも前記ＲＦタグ情報と、該ショートカットの前記実行に応答して前記パーソナル通信デバイス内の少なくとも１つのパーソナライズされた機能を発生させるためのアプリケーションプログラムを選択及び実行するための指令とを含む、
ことを特徴とするシステム。
【請求項４７】
前記ショートカットの前記実行に応答して指令マクロ又はスクリプトの実行を可能にするために前記選択又は作成された新しいショートカットを前記記憶域内の前記ＲＦタグ情報に関連付けるための前記パーソナル通信デバイスに保存された前記アプリケーションプログラムを割り当てるための指令を開始するのに使用されるユーザインタフェースを更に含むことを特徴とする請求項４６に記載のシステム。
【請求項４８】
前記少なくとも１つのショートカットは、予め設定されたショートカット又は新しく作成されたショートカットを含むことを特徴とする請求項４６に記載のシステム。
【請求項４９】
前記少なくとも１つのショートカットを保存するための前記記憶域は、前記ＲＦタグ内のメモリを含むことを特徴とする請求項４６に記載のシステム。
【請求項５０】
前記記憶域は、前記パーソナル通信デバイス内のメモリであることを特徴とする請求項４６に記載のシステム。
【請求項５１】
前記記憶域は、公衆通信ネットワークを通じてアクセス可能なネットワークサーバ内のメモリであることを特徴とする請求項４６に記載のシステム。
【請求項５２】
前記ＲＦタグ情報は、タグ認識情報を含むことを特徴とする請求項４６に記載のシステム。
【請求項５３】
前記ＲＦタグは、パッシブ又はアクティブであることを特徴とする請求項４６に記載のシステム。
【請求項５４】
前記ＲＦタグは、書込み保護にされたプログラマブルメモリを有することを特徴とする請求項４９に記載のシステム。
【請求項５５】
ネットワークサーバと前記パーソナル通信デバイスの間の通信のためのネットワーク接続を更に含むことを特徴とする請求項４６に記載のシステム。
【請求項５６】
前記ネットワーク接続は、前記パーソナル通信デバイスとの間でデータを送受信するためのプロトコルを使用する無線接続であることを特徴とする請求項５５に記載のシステム。
【請求項５７】
前記ＲＦタグは、ＲＦＩＤタグであり、前記ＲＦ読取装置は、ＲＦＩＤ読取装置であることを特徴とする請求項４６に記載のシステム。
【請求項５８】
前記記憶域の前記走査は、ネットワークリソースのより効率的な使用のために優先順位付けされていることを特徴とする請求項４６に記載のシステム。
【請求項５９】
前記優先順位付けは、前記パーソナル通信デバイスによって受信したＲＦタグ情報に対応するショートカットに関してネットワークサーバメモリを走査する前に、ショートカットに関して該ＲＦタグメモリを走査する段階及び／又はパーソナル通信デバイスメモリを走査する段階を伴うことを特徴とする請求項５８に記載のシステム。
【請求項６０】
パーソナル通信デバイス内のパーソナライズされた機能へのショートカットを作成するためのシステムであって、
特定の場所に配置された機械読取可能データと、
前記機械読取可能データを捕捉するためのパーソナル通信デバイス内の撮像装置と、
少なくとも１つのショートカットを保存するための記憶域と、
前記機械読取可能データを復号化してショートカットに関して走査し、並びに該機械読取可能データに基づいて実行される新しいショートカットの選択又は作成を促すためのプロセッサと、
を含み、
前記ショートカットは、少なくとも前記機械読取可能情報と、該ショートカットの前記実行に応答して前記パーソナル通信デバイス内の少なくとも１つのパーソナライズされた機能を発生させるためのアプリケーションプログラムを選択及び実行するための指令とを含む、
ことを特徴とするシステム。
【請求項６１】
前記ショートカットの前記実行に応答して指令マクロ又はスクリプトの実行を可能にするために前記選択又は作成された新しいショートカットを前記記憶域内の前記ＲＦタグ情報に関連付けるための前記パーソナル通信デバイスに保存された前記アプリケーションプログラムを割り当てるための指令を開始するのに使用されるユーザインタフェースを更に含むことを特徴とする請求項６０に記載のシステム。
【請求項６２】
前記機械読取可能データは、バーコードであることを特徴とする請求項６０に記載のシステム。
【請求項６３】
前記撮像装置は、デジタルカメラであることを特徴とする請求項６０に記載のシステム。
【請求項６４】
前記機械読取可能データは、認識情報を含むことを特徴とする請求項６０に記載のシステム。
【請求項６５】
パーソナル通信デバイス内のパーソナライズされた機能へのショートカットを作成するための装置であって、
少なくとも１つのＲＦタグからＲＦタグ情報を受信して復号化するためのＲＦタグ読取装置と、
少なくとも１つのショートカットを保存するための記憶域と、
ショートカットに関して記憶域を走査して、前記ＲＦタグ情報の前記受信に基づいて新しいショートカットの選択又は作成を促すためのプロセッサと、
を含み、
前記ショートカットは、少なくとも前記ＲＦタグ情報と、該ショートカットの実行に応答して前記パーソナル通信デバイス内の少なくとも１つのパーソナライズされた機能を発生させるためのアプリケーションプログラムを選択及び実行するための指令とを含む、
ことを特徴とする装置。
【請求項６６】
前記ショートカットの前記実行に応答して指令マクロ又はスクリプトの実行を可能にするために前記選択又は作成された新しいショートカットを前記記憶域内の前記ＲＦタグ情報に関連付けるための前記パーソナル通信デバイスに保存された前記アプリケーションプログラムを割り当てるための指令を開始するのに使用されるユーザインタフェースを更に含むことを特徴とする請求項６５に記載の装置。
【請求項６７】
前記少なくとも１つのショートカットは、予め設定されたショートカット及び新しく作成されたショートカットを含むことを特徴とする請求項６５に記載の装置。
【請求項６８】
前記少なくとも１つのショートカットを保存するための前記記憶域は、前記パーソナル通信デバイス内のメモリを含むことを特徴とする請求項６５に記載の装置。
【請求項６９】
前記ＲＦタグ情報は、少なくともタグ認識情報と指令とを含むことを特徴とする請求項６５に記載の装置。
【請求項７０】
前記ＲＦタグは、ＲＦＩＤタグであり、前記ＲＦ読取装置は、ＲＦＩＤ読取装置であることを特徴とする請求項６５に記載の装置。
【請求項７１】
前記記憶域の前記走査は、ネットワークリソースのより効率的な使用のために優先順位付けされていることを特徴とする請求項６５に記載の装置。
【請求項７２】
前記優先順位付けは、前記パーソナル通信デバイスによって受信したＲＦタグ情報に対応するショートカットに関してネットワークサーバメモリを走査する前に、該ＲＦタグメモリを走査する段階及び／又はパーソナル通信デバイスメモリを走査する段階を伴うことを特徴とする請求項６５に記載の装置。
【請求項７３】
パーソナル通信デバイス内のパーソナライズされた機能へのショートカットを作成するための装置であって、
機械読取可能データを捕捉するための撮像装置と、
少なくとも１つのショートカットを保存するための記憶域と、
前記機械読取可能データを復号化してショートカットに関して走査し、並びに該機械読取可能データに基づいて新しいショートカットの選択又は作成を促すためのプロセッサと、
を含み、
前記ショートカットは、少なくとも機械読取可能情報と、該ショートカットの実行に応答してパーソナル通信デバイス内の少なくとも１つのパーソナライズされた機能を発生させるためのアプリケーションプログラムを選択するための指令とを含む、
ことを特徴とする装置。
【請求項７４】
前記ショートカットの前記実行に応答して指令マクロ又はスクリプトの実行を可能にするために前記選択又は作成された新しいショートカットを前記記憶域内の前記ＲＦタグ情報に関連付けるための前記パーソナル通信デバイスに保存された前記アプリケーションプログラムを割り当てるための指令を開始するのに使用されるユーザインタフェースを更に含むことを特徴とする請求項７３に記載の装置。
【請求項７５】
前記機械読取可能データは、バーコードであることを特徴とする請求項７３に記載の装置。
【請求項７６】
前記撮像装置は、デジタルカメラであることを特徴とする請求項７３に記載の装置。
【請求項７７】
前記機械読取可能データは、認識情報を含むことを特徴とする請求項７３に記載の装置。
【発明の詳細な説明】
【技術分野】
【０００１】
この国際特許出願は、本明細書においてその明細書全体が引用により組み込まれている２００３年１２月８日出願の「パーソナル通信デバイス内の機能へのショートカットを作成するための装置、システム、方法、及びコンピュータプログラム製品」という名称の米国特許出願出願番号第１０／７２８，９１５号に対する優先権を主張するものである。
本発明は、一般的に、デバイス機能性を改善するための機械読取可能タグ及びタグ読取装置のパーソナル通信デバイスとの統合に関する。
【背景技術】
【０００２】
パーソナル通信デバイスは、多忙な大人だけでなく若者の日常生活にも広く普及するようになってきた。更に、そのようなデバイスによって実行される機能向上に対する要求も増加している。すなわち、単により多くの機能を迅速に実行するだけでは十分ではない。ユーザにより関連のある機能を実行することも等しく重要である。機能をより多くパーソナライズすると、パーソナル通信デバイスはより有用になる。
【０００３】
情報受信の効率を向上させる１つの方法は、ＲＦタグ付けシステム、より具体的には、ＲＦＩＤ無線システムを使用することである。ＲＦＩＤ無線システムは、様々な量の情報を収容することができるタグ又はトランスポンダとして公知のＲＦＩＤラベルと、通常は読取装置又は質問器と呼ばれるコントローラユニットとを使用する。ＲＦＩＤ質問器は、無線周波数（ＲＦ）エネルギの使用を通してタグと通信する。ＲＦＩＤ無線ネットワークの原理は、本明細書においてその全内容が引用により組み込まれている「国際自動認識工業会（ＡＩＭ）」ウェブサイト（ｈｔｔｐ：／／ｗｗｗ．ａｉｍｇｌｏｂａｌ．ｏｒｇ）により２００１年１０月２３日公開の「無線周波数認識：基本手引き書」という名称の論文に説明されている。
【０００４】
ごく最近になって、デバイス機能性を改善するためにパーソナル通信デバイスにおけるＲＦＩＤシステムの使用が提案されている。しかし、ＲＦＩＤタグがＲＦＩＤ読取装置によって走査されるときに、提案されたシステムのどれもパーソナル通信デバイス内の機能をパーソナライズすることを適切に考慮していない。より詳細には、ＲＦＩＤタグからの信号を受信したときに、公知のシステムを用いるとパーソナル通信デバイス内の機能へのショートカットを選択するか又は作成することが不可能である。
すなわち、例えばＲＦＩＤシステムのようなＲＦタグ付けシステムを使用してパーソナル通信デバイス内の機能へのショートカットを作成するための装置、システム、方法、及びコンピュータプログラム製品を提供することが望ましいと考えられる。
【０００５】
【特許文献１】米国特許出願出願番号第１０／７２８，９１５号
【特許文献２】ＰＣＴ出願番号ＰＣＴ／１Ｂ０３／０２９００
【非特許文献１】「無線周波数認識：基本手引き書」、「国際自動認識工業会（ＡＩＭ）」ウェブサイト（ｈｔｔｐ：／／ｗｗｗ．ａｉｍｇｌｏｂａｌ．ｏｒｇ）、２００１年１０月２３日公開
【発明の開示】
【０００６】
上述の従来技術の制約を克服し、かつ本出願を読んで理解すれば明らかになる他の制約を克服するために、パーソナル通信デバイス内の機能へのショートカットを作成するための装置、システム、方法、及びコンピュータプログラム製品を提案する。
本発明の装置及びシステムは、ＲＦＩＤタグ読取装置と、少なくとも１つのＲＦＩＤタグと、記憶域と、記憶域に保存された少なくとも１つのショートカットと、ショートカットを処理して新しいショートカットの選択又は作成を促すためのプロセッサとを有するパーソナル通信デバイスを含む。より詳細には、パーソナル通信デバイスは、携帯電話、衛星電話、携帯情報端末、又は「Ｂｌｕｅｔｏｏｔｈ」デバイスである。ＲＦＩＤタグは、アクティブ又はパッシブであり、パーソナル通信デバイスがＲＦＩＤタグに近い時にＲＦＩＤ読取装置に少なくともＲＦＩＤ情報を提供する。更に、ＲＦＩＤタグは、プログラマブルであり、書込み保護機能を有することができる。
【０００７】
ショートカットは、ＲＦＩＤタグ情報、アプリケーションプログラムを選択するための指令、及びショートカットのフォーマット及び特性を定義するラッパー（例えば、ＸＭＬ又はＳＭＩＬ）を含む。更に、ショートカットが実行された時に、それを使用して、パーソナル通信デバイスがタグ情報を受信した時にパーソナル指令、マクロ、又はスクリプトをアクティブ化することができる。ショートカットは、パーソナル通信デバイス、ＲＦＩＤタグ、又はネットワークサーバ内のメモリ域に保存することができる。ショートカットはまた、ショートカット又はその一部を「Ｂｌｕｅｔｏｏｔｈ」、携帯電話、又は他のキャリア上で送信することにより、又は他のデバイスによってアクセスするためにそれらをパブリックネットワーク上で公開することにより、他のデバイスと共有することができる。
【０００８】
システムは、パブリックネットワークとパーソナル通信デバイスとの間の通信のためのネットワーク接続を含むことも本発明によって考えられている。ネットワーク接続は、パーソナル通信デバイスとの間でデータを送受信するための無線プロトコルを使用する無線接続とすることができる。例えば、ネットワーク接続は、ＧＳＭ、「ＷＡＰ  ＥＤＧＥ」、ＵＭＴＳ、又は他の同様の無線移動電話ネットワークプロトコルを使用することができる。
【０００９】
本発明の方法は、パーソナル通信デバイス内のＲＦＩＤタグ読取装置を使用して、ＲＦＩＤタグ情報を受信して復号化する段階を含む。ＲＦＩＤ情報を受信すると、プロセッサは、メモリに保存された予め設定されたショートカットを実行するか、又は代替的にメモリに保存される新しいショートカットを選択するか又は作成するようにユーザを促すことができる。実行された状態で、ショートカットは、ショートカットによって認識されたパーソナル通信デバイスの少なくとも１つの機能を開始する。ショートカットの少なくとも一部は、パーソナル通信のユーザによって判断することができ、従って、同じＲＦＩＤ情報を使用して異なるパーソナル通信デバイス内の異なる機能を制御することができる。例えば、１つのタグからのＲＦＩＤ情報を使用して、１つのデバイスからテキストメッセージを送信し、別のデバイスでは写真を撮ることができる。
【００１０】
本発明のコンピュータプログラム製品は、ＲＦＩＤタグ情報を受信して復号化するための並びに受信したＲＦＩＤタグ情報に基づいて予め設定されたショートカットを実行するための実行可能コードを有するコンピュータ読取可能媒体を含む。実行可能プログラムコードは、新しいショートカットの選択及び作成、及びショートカットに基づいてパーソナル通信デバイス内の機能を選択して実行するために提供される。コンピュータプログラム製品は、メモリがパーソナル通信デバイス、ＲＦＩＤタグ、又はネットワークサーバ内にあるか否かに関係なくショートカットをメモリ域に保存するためのプログラムコードを更に含むことも本発明によって考えられている。コンピュータプログラム製品は、ネットワークサーバとパーソナル通信デバイスの間の通信のためにパブリックネットワークへのネットワーク接続を確立して維持するための、並びに無線プロトコル（例えば、ＭＭＳ又は「Ｂｌｕｅｔｏｏｔｈ」）を使用するか又は「インターネット」に接続して他のデバイスと通信するためのプログラムコードを更に含む。
【００１１】
ショートカットの選択及び作成は、ネットワークリソースをより効率的に使用するために優先順位付けすることもできることが本発明によって考えられている。例えば、ＲＦ情報を受信すると、パーソナル通信デバイスは、受信したＲＦＩＤタグ情報に対応するショートカットを得るために、最初にＲＦＩＤタグ内のメモリを走査し、次にパーソナル通信デバイス内のメモリを走査し、次にネットワークサーバのメモリを走査することができる。
【００１２】
更に、ＲＦＩＤシステムの使用が本明細書に開示されたが、他の種類のタグ付けシステムも上述のように本発明に適合すると考えられる。更に、ＲＦＩＤタグは、バーコードのような他の機械読取可能データで置き換えることができるようにも考えられており、これを使用して、次にパーソナル通信デバイスの様々な機能をプログラムすることができる。バーコードとパーソナル通信デバイスの間の通信は、バーコードを撮影するデバイス内のカメラ機能によって達成することができる。バーコードは、次に、機能を実行するためにパーソナル通信デバイスによって復号化して処理することができる。
添付図面は、パーソナル通信デバイス内の機能へのショートカットを作成するための装置、システム、方法、及びコンピュータプログラム製品の詳細を最も良く示している。これらの図面の同じ参照番号と名称は、同じ要素を意味している。
【発明を実施するための最良の形態】
【００１３】
様々な実施形態の以下の説明においては、その一部を形成し、かつ本発明を実施することができる様々な実施形態を例示的に示す添付図面を参照する。
図１は、本発明の実施形態によるシステムをしている。図１では、簡潔にするために、システムは、無線通信チャンネル５を通じて無線ＩＣタグ（ＲＦＩＤ）２と通信する２つのパーソナル通信デバイス１を含む。ＲＦＩＤタグ２は、パッシブ又はアクティブであって無線ＲＦ信号を発信するものと本発明によって考えられている。図１に示すように、パーソナル通信デバイス１とＲＦＩＤタグ２は、両方ともその作動に不可欠ないくつかの内部構成要素を含む。
【００１４】
ＲＦＩＤタグ２は、中央処理装置３、メモリ７、及びアンテナ６を含む。更に、ＲＦＩＤタグ２は、タグ２がアクティブか又はパッシブかにより、任意的な電源８を含むこともできる。中央処理装置３は、ＲＦＩＤタグ２にデータの送信、受信、及び保存のための命令を実行させることができる。メモリ７は、ＲＦＩＤタグ２の種類と精巧さ次第で書込み保護にすることができる読取専用メモリ（ＲＯＭ）、ランダムアクセスメモリ（ＲＡＭ）、及び不揮発性プログラマブルメモリを含むことができる。簡単なＲＦＩＤタグは、１６及び２００ビットの間のデータを保存することができると考えられ、一方、より複雑なＲＦＩＤタグは、少なくとも数十キロバイトのデータを保存することができると考えられる。使用されるＲＦＩＤタグ２は、例えば、Ｉｎｎｏｖｉｓｉｏｎ、Ｇｅｍｐｌｕｓ、又は「Ｐｈｉｌｉｐｓ  Ｍｉｆａｒｅ」によって製造される種類とすることができるように本発明によって考えられている。１つ又はそれよりも多くのＲＦＩＤタグ２をパーソナル通信デバイス１の一人又は複数のユーザに関連する場所内及び物体上に配置することができる。例えば、ＲＦＩＤタグ２は、ユーザが互いに接触する時に２つ又はそれよりも多くのデバイス１上で機能を実行するために別のパーソナル通信デバイス１と一体化することが可能である。アンテナ６は、ＲＦＩＤタグ２にパーソナル通信デバイス１との間で無線通信を送受信させることができる。ＲＦＩＤタグ２の伝達範囲は、その精巧さと用途に応じて変化することになる。
【００１５】
パーソナル通信デバイス１は、携帯電話、衛星電話、携帯情報端末、又は「Ｂｌｕｅｔｏｏｔｈ」デバイスとすることができる。パーソナル通信デバイス１は、タグ読取モジュール１３、内部メモリ９、プロセッサ１０、オペレーティングシステム１１、アプリケーションプログラム１２、ディスプレイ１４、ユーザインタフェース１５、永久メモリ１６、及びネットワークインタフェース１８を含む。タグ読取モジュール１３は、アンテナと復号器（図示しない）も含む。アンテナ６は、パーソナル通信デバイス１との間でＲＦ無線信号の送受信を可能にする。復号器は、タグ２から受信した信号中のデータを読み取ってその情報を内部メモリ９に転送する。内部メモリ９は、プロセッサ１０、オペレーティングシステム１１及びアプリケーションプログラム１２、及び永久メモリ１６を調整する。パーソナル通信デバイス１は、ＲＦＩＤタグ（図示しない）を更に含むことができ、これは、ＲＦＩＤインタフェースを通じて他のデバイス１にデバイス１と通信させるものである。本発明の一実施形態では、ＲＦＩＤ読取装置１３がデバイス１間の直接通信インタフェースを確立することができるようにも考えられている。更に別の実施形態によれば、本明細書においてその全内容が引用により組み込まれている、本出願人により２００３年７月１１日に出願の「トランスポンダ機能性を備えた無線ＩＣタグトランスポンダのための読取装置」という名称のＰＣＴ出願番号ＰＣＴ／１Ｂ０３／０２９００に説明されているように、ＲＦＩＤモジュール１３は、読取モジュール１３がトランスポンダ作動モードでＲＦＩＤタグ２として作用することを可能にする専用のトランスポンダ論理回路（図示しない）を含むことができる。
【００１６】
プロセッサ１０は、データの受信、送信、保存、及びディスプレイの命令を実行する。オペレーティングシステム１１は、パーソナル通信デバイス１の様々な機能を制御するアプリケーションプログラム１２の実行を可能にする。永久メモリ１６は、ユーザが重要又は機密なものと考えるデータのための保存の保護を提供する。ユーザは、ユーザインタフェース１５を通じてパーソナル通信デバイス１と通信することができる。ユーザインタフェース１５は、キーボード、キーパッド、タッチスクリーン、又はユーザの命令を入力するか又はそれ以外にパーソナル通信デバイス１と通信するための同様のユーザインタフェースとすることができる。パーソナル通信デバイス１の内部構成要素間の通信は、デバイス１の全ての内部構成要素に電気接続の共通ポイントとして提供されるバス１７を通じて行われる。ＲＦＩＤタグ２とパーソナル通信デバイス１の間の通信は、パーソナル通信デバイス１がＲＦＩＤタグ２の適正な範囲内に入ると達成され、この範囲は、上述のように、ＲＦＩＤシステムの精巧さに応じて変動することになる。
【００１７】
ネットワークインタフェース１８は、パーソナル通信デバイス１とネットワーク又は別の無線デバイスとの間の通信を可能にする。ネットワークインタフェース１８は、「Ｂｌｕｅｔｏｏｔｈ」標準プロトコル、又は、以下に限定されるものではないが、共有無線アクセスプロトコル（ＳＷＡＰ）、「無線パーソナルエリアネットワーク（ＷＰＡＮ）」プロトコル、「高性能無線ローカルエリアネットワーク（ＨＩＰＥＲＬＡＮ）」プロトコル、又は「マルティメディア移動アクセス通信（ＭＭＡＣ）」プロトコルのような他の無線ＬＡＮ標準プロトコルに準拠することができる。ネットワークインタフェース１８を使用して、例えば、ＧＳＭ、「ＷＡＰ  ＥＤＧＥ」、ＵＭＴＳ、又はいずれかの同様の接続のようなあらゆる通常の移動電話接続に接続することもできる。
【００１８】
図２は、本発明の実施形態によるショートカットをより詳細に示す図である。機能を制御するためにパーソナル通信デバイスによって使用されることになる（１）パーソナルショートカット、（２）予め設定されたショートカット、及び（３）パブリックショートカットという３つの種類のショートカットが一般的に存在することが本発明によって考えられている。これら３つの種類のショートカットは、以下の図においてより詳細に説明される。簡略化のために、図２は、ショートカットを一般的に説明するものである。
【００１９】
図２において、ショートカット１９は、（１）タグ登録又はＩＤ２２、（２）個人の指令、マクロ、又はスクリプトに関する説明又は情報２３、（３）ＲＦＩＤタグ２に含まれるデータのフォーマット及び特性を定義するラッパー２０（例えば、ＸＭＬ／ＳＭＩＬ）の３つの要素を有する。各ショートカット１９は、パーソナル通信デバイス１の特定の機能を制御するためのアプリケーション１２に関連している。ユーザは、各ＲＦＩＤタグ登録又はＩＤ２２がパーソナル通信デバイス１内の異なる望ましいアプリケーション１２及び機能に関連付けられるようにショートカット１９をパーソナライズすることができる。
【００２０】
以下は、ショートカットによって開始することができるアプリケーションの例である。
（１）タグが、電話を掛けるマクロをトリガする。例えば、ＲＦＩＤタグが写真の額に配置される。この目的を達成するために、家族の写真は、電話帳機能を実行することができる。身体障害者と年配者は、この用途を有効に使用することができるであろう。
（２）タグが、所定のＳＭＳを会社のデータベースに送信するマクロをトリガする。例えば、保守担当者は、タグを通すことによって自分の外見を保守サイトに示す。
（３）複数のタグが、トリガされたタグによって異なるカレンダーエントリを作るためのマクロをトリガする。例えば、１つのタグが「到着」を表現し、別のタグが「出発」を表現することができる等々である。すなわち、ユーザは、自分の時間の使用の経過を追うことができる。
（４）タグが、ＷＡＰ接続を開くこと及び電子新聞へのアクセスをトリガする。ユーザがコーヒーブレイクの間に現在のイベントに追いつくことができるように、タグは、カフェテリア又はユーザの事務所に常駐することができる。
（５）タグが、デバイス内の設定又はツールを変えるマクロ、例えば「リング」モードから「サイレント」モードに変えるマクロをトリガする。これらのタグは、例えば、会議室で非常に有用であろう。
（６）タグが、ＳＭＳ又はＳＩＰメッセージを通じて「存在」情報に対する更新をトリガする。例えば、タグは「事務所にいる」を表す。仲間リスト内の個人は、次に、この変化を見ることができる。存在の変化は半自動であり、ユーザがその変化を開始することを要求するが、他の全ては、１つのキー押しも必要とせずに自動で行われる。
（７）タグが、電話転送モード「オン」をアクチベートするマクロをトリガする。
（８）タグが、何らかのサービス、例えば電話口座の残高情報又は天気予報などを検索するために所定の／保存されたＳＭＳメッセージを送信するマクロをトリガする。
（９）タグが、同僚間の共通作業プロジェクトを表示するためのマクロをトリガし、例えば、同僚のパーソナル通信デバイス１にタッチすることは、共通作業プロジェクト又は文書などを開くアプリケーションのトリガをもたらす。ＲＦＩＤタグは、同僚のパーソナル通信デバイス上に配置される。
【００２１】
ショートカット１９に含まれた指令又はマクロ２３は、Ｊａｖａ（登録商標）  Ｓｃｒｉｐｔ、Ｐｅｒｌ、Ｖｉｓｕａｌ  Ｂａｓｉｃ、Ｐｙｔｈｏｎ、又は何らかの他のスクリプト言語で書くことができる。それはまた、「オペレーティングシステム非依存」（例えば、Ｊａｖａ（登録商標））か又はシステムのマイクロプロセッサに依存（例えば「Ｓｙｍｂｉａｎ  ＯＳ」を実行するある一定のマイクロプロセッサを使用するある一定のデバイスに対する例えば「バイナリ」実行ファイル）のバイナリプログラムとすることができる。
【００２２】
マクロはまた、システム内の情報と指令、例えば、ある一定のメニュー、キーボード入力、ユーザ選択などを開くことを伝えるためにオペレーティングシステムが使用するオペレーティングシステム依存ＵＩＤ（ユーザインタフェース認識コード）コードを含むことができる。例えば、「Ｓｉｍｂｉａｎオペレーティングシステム」では、マクロは、プログラムの特定の機能を実行するか又はプログラムを起動するためにさえ使用される、「ＥｅｉｋＣｍｄＦｉｌｅＯｐｅｎ」又は「ＥｅｉｋＣｍｄＩｒｄａＳｅｎｄ」のようなＵＩＤコードを含むことができるであろう。
【００２３】
マクロは、ＥｋｅｙＯＫ、ＥａｋｎＳｏｆｔｋｅｙＢａｃｋ、ＥｋｅｙＲｉｇｈｔＡｒｒｏｗ、及びＥｋｅｙＭｅｎｕ（これらは、Ｓｉｍｂｉａｎ  ＯＳで使用される）のようなキーコードを含むことができ、これらは、ユーザインタフェース（ＵＩ）が使用されるときにシステム内で作られて転送される。従って、マクロは、あたかもユーザが自分のＵＩを使用したかのようにユーザのアクションを模倣する。最も簡単明快なマクロの使用は、ウェブブラウザを起動し、望ましいコンテンツが最終的にロードされる場所からそれを保存されたＵＲＬと共にパラメータとして供給するマクロ、例えば、ウェブブラウザのｈｔｔｐ：＼＼ｗｗｗ．ｉｎｔｅｒｎｅｔ．ｃｏｍ＼ｈｔｔｐ＿ｐａｒａｍｅｔｅｒｓにプログラム名とパラメータを保存することであろう。
【００２４】
図３は、本発明の実施形態によるパーソナルショートカットの作成と使用の方法を示す図である。段階Ｓ１では、ＲＦＩＤタグ情報が、ＲＦチャンネル５を通じてパーソナル通信デバイス１のＲＦＩＤ読取装置１３によって受信される。ＲＦＩＤタグ情報は、少なくともタグ登録又はＩＤ２２を含む。ＲＦＩＤタグ情報（例えば、登録又はＩＤ）は、ＲＦＩＤ読取装置１３によって復号化されてプロセッサ１０に転送される。この場合、ＲＦＩＤ情報に相当するパーソナルショートカット１９は、パーソナル通信デバイス１の内部メモリ９に保存される。それに応じて、段階Ｓ２では、プロセッサ１０は、ＲＦＩＤタグ情報に相当するショートカット１９を内部メモリ内で見出すことができるか否かを判断する。ショートカット１９が見出される場合、プロセッサ１０は段階Ｓ６に進み、ショートカット１９の指令、マクロ、又はスクリプト２３を実行する。一方、プロセッサ１０がショートカット１９を発見できない場合（段階Ｓ３）、次に、段階Ｓ４でプロセッサ１０は、別のショートカット１９を選択するか又は作成することをユーザに促す。プロセッサ１０は、次に、段階Ｓ５でパーソナル通信デバイス１によって将来使用するために新しいショートカット１９を内部メモリ９に保存する。段階Ｓ６では、プロセッサ１０は、ショートカット１９の指令、マクロ、又はスクリプト２３を実行する。
【００２５】
ユーザは、どの特定のＲＦＩＤタグ２に対してもパーソナルショートカット１９を定義することができる。これは、ある一定のＲＦＩＤタグ２が、異なるパーソナル通信デバイス１の異なるショートカット１９に対応する可能性があることを意味する。例えば、第１のユーザは、デバイスを「サイレント」モードに変えるためにＲＦＩＤタグを使用することができる一方で、別のユーザは、今日の昼食メニューを含むＷＡＰページをフェッチするように自分のデバイスをプログラムするのに同じＲＦＩＤタグを使用することができる。
【００２６】
図４と５は、図３に説明した方法によるパーソナルショートカットの使用と作成のためのシステムを提供するものである。図４では、システムは、パーソナルショートカット１９の使用方法を示す一方、図５では、システムは、新しいパーソナルショートカット１９の選択又は作成方法をしている。図４では、ＲＦＩＤタグ２が、パーソナル通信デバイス１にＲＦＩＤタグ情報を送信しており、その情報は、パーソナル通信デバイス１のＲＦＩＤ読取装置１３によって受信される。ＲＦＩＤ読取装置１３は、ＲＦ信号を復号化して復号化されたＲＦＩＤタグ情報をプロセッサ１０に送信する。この実施形態では、ＲＦＩＤタグ情報は、特定のＲＦＩＤタグ２を識別するために使用されるＲＦＩＤタグ登録又はＩＤ２２を含む。しかし、ＲＦＩＤタグ２は、必要に応じて更に多くのデータを送信することができる。プロセッサ１０は、対応する指令２３に対するパーソナル通信デバイス１の内部メモリ９内で永久メモリ１６を検索する。次に、指令２３は、永久メモリ１６から取り出されてプロセッサ１０によって実行される。指令２３は、パーソナル通信デバイス１のアプリケーションソフトウエア又はプログラム１２を選択してトリガするために使用され、以下に限定されるものではないが、データのディスプレイ、電子メールの送信、電話の呼び出し、写真の撮影、「インターネット」へのアクセス、又は他の同様の機能のような特定のデバイスの機能を制御する。
【００２７】
図５では、プロセッサ１０は、パーソナル通信デバイス１によって受信したＲＦＩＤ情報に相当するショートカット１９を発見できなかったことが考えられている。この場合、プロセッサ１０は、新しい指令を選択するか又は指令を作成するかのいずれかをユーザに促す。それに応じてユーザは、内部メモリ９に保存された利用可能なショートカット２３のいずれかから指令２３を選択するか、又は新しいショートカット１９を作成することができ、そのショートカットを次にパーソナル通信デバイス１の内部メモリ９に保存することができる。いずれの場合でも、ユーザは、ユーザインタフェース１５とディスプレイ１４を使用してパーソナル通信デバイス１と通信する。新しいショートカットが作成された場合、プロセッサ１０は、そのショートカットを永久メモリ１６に保存することになる。
【００２８】
図６Ａと６Ｂは、図４及び５に説明したシステムに整合するパーソナル通信デバイスにあるパーソナルショートカットを使用するためのユーザインタフェースをより詳細に示す図である。図６Ａでは、ユーザ２５は、パーソナル通信デバイス１を有して、特定の場所に配置されたＲＦＩＤタグ２との通信を開始する。この場合、ＲＦＩＤタグ２とパーソナル通信デバイス１の間の通信は、パーソナル通信デバイス１をＲＦＩＤタグ１に接触させると開始される。通信セッションが開始してすぐ後に、パーソナル通信デバイス１のディスプレイ１４内のユーザインタフェース（ＵＩ）１５は、ＲＦＩＤタグ２に対するパーソナル通信デバイス１にショートカット１９の存在を表示する。ＵＩ１５は、ショートカットが「サンディ」という名前の友人への電話をトリガしたことを表示する（すなわち、「サンディに電話」）。
【００２９】
図６Ｂでは、パーソナル通信デバイス１とＲＦＩＤタグ２の間の通信セッションが開始されると、デバイス１は、受信したＲＦＩＤタグ情報を確認してユーザ２５に選択を行うように促す。より詳細には、ユーザ２５は、ＲＦＩＤタグ２に関連する（１）電話呼び出しに関連するものと（２）ウェブページに関連する他方の２つのショートカット１９の間から選択を行うように促される。ユーザによって選択が行われた状態で、パーソナル通信デバイスのＵＩ１５は、選択されたショートカット１９の実行を表示する。この場合、選択されたショートカットは、友人への電話呼び出しに関連している（すなわち、「サンディに電話」）。
【００３０】
図７は、図４及び５に説明したシステムに整合するパーソナル通信デバイス内にパーソナルショートカットを作成するためのユーザインタフェースをより詳細に示す図である。
一般的に、ユーザが新しい機能性を作成するか又はプログラムしたい時に、記録用マクロ機能が作動される。デバイス１は、基本的な状態（例えば、アイドル状態）に戻る。ユーザ２５は、それがあたかも通常の使用状況であるかのようにＵＩ１５を使用する。記録装置は、ユーザ２５が行う全ての入力を記録する。記録は、例えば、特定のキー又はキーの組合せを使用することによって中止することができる。ユーザ２５による全ての入力は、そのマクロ２３の一部として又は活動ショートカット１９として保存される。このように、マクロ２３が実行されると、それはユーザの入力を模倣する。ユーザ入力間の遅れを短縮することができる。
【００３１】
代替的に、マクロ記録装置（図示しない）は、ユーザ２５がマクロ２３を記録している間にオペレーティングシステム１１のステータスを調査することができ、記録して後でそのようなキー押しを再生する代わりに、それは、どのアプリケーション１２が作動しているか及びこれらのアプリケーション１２にどのパラメータが渡されるかを検出することができる。マクロ記録装置は、オペレーティングシステム１１に対してどのメニュー指令が渡されて通過するかを調査することができる。このように、再生の段階では、マクロ再生システムは、記録の段階で実行されていた同じパラメータを有する同じアプリケーションを作動する。同様に、記録の段階でユーザによって渡されたのと同じ順序でメニュー及び他の指令を渡すことができる。
【００３２】
記録されたマクロは、例えば次の指令を含むことができる。
＜ＳＴＡＲＴ  ＯＦ  ＭＡＣＲＯ＞
＜ＲＦＩＤ  Ｔａｇ  ＩＤ＞＃２３４３５＜／ＲＦＩＤ  Ｔａｇ  ＩＤ＞
ＥＫｅｙＭｅｎｕ，ＥＫｅｙＵｐ，ＥＫｅｙＵｐ，ＥＫｅｙＯＫ，
＜１００ｍｓ  ｐａｕｓｅ＞，ＥｋｅｙＯＫ
＜Ａｃｔｉｖａｔｅ＞ＷｅｂＢｒｏｗｓｅｒ＜＼Ａｃｔｉｖａｔｅ  Ｐａｒａｍｅｔｅｒ：ｈｔｔｐ：＼＼ｗｗｗ．ｎｏｋｉａ．ｃｏｍ＞
＜Ｍｅｎｕ  Ｃｏｍｍａｎｄ＞ＭＥＮＵ＿ＣＯＭＭＡＮＤ＿ＩＤ＿＃２３＜＼Ｍｅｎｕ  Ｃｏｍｍａｎｄ＞
＜Ｅｘｐｌａｎａｔｉｏｎ：＞Ｃｌｅａｒ
Ｃａｃｈｅ＜＼Ｅｘｐｌａｎａｔｉｏｎ＞
＜２００ｍｓ  ｐａｕｓｅ＞，ＥｋｅｙＯＫ
＜ＥＮＤ  ＯＦ  ＭＡＣＲＯ＞
【００３３】
上述のマクロ２３は、例えば、最初にユーザの入力を模倣することができ、そのために、デバイス１がある一定の状態に設定され、次に、マクロ２３は、アプリケーション１２を作動してアプリケーション１２にメニュー指令を渡し（ユーザのキー入力ではなく）、これは、ウェブブラウザのキャッシュをクリアするであろう。短い停止の後に、マクロ２３は、例えば、ＯＫオプションに対してユーザのキー入力を模倣し、システムのダイアログウインドウに「本当にキャッシュをクリアしてもよろしいですか？」と答えることであろう。システムは、例えば、オプションウインドウなどを表示する作業を実行することができるような停止が必要である。マクロ２３は、メモリ１６及び２７又はＲＦＩＤタグ２に保存することができる。マクロ２３がメモリ１６及び２７に保存される場合、ＲＦＩＤタグＩＤ２２のメモリ１６及び２７内のＲＦＩＤ−マクロ表（図示しない）内に、対応するマクロ／スクリプト／バイナリ実行可能場所を参照するためのレファレンスが必要である。しかし、ＲＦＩＤ情報は、任意的に、同じくマクロ２３の一部とすることができる。
【００３４】
以上の情報を念頭に置いて、図７では、パーソナル通信デバイス１のユーザ２５は、ＲＦＩＤタグ２との通信セッションを開始する。次に、パーソナル通信デバイス１は、ＲＦＩＤタグ２に対して作り出されたショートカットがないと判断する。それに応じて、ユーザ２５は、ＲＦＩＤタグ２に対応するためにショートカット１９を作成するように促される。デバイス１のＵＩ１５は、ＲＦＩＤタグ２との将来の通信でトリガされることになる様々なデバイスの機能から選択するようにユーザ２５を促す。この場合、ユーザ２５は、例えば「サンディ」のような友人との電話呼び出しを行うことになる電話呼び出し機能を選択する。次に、新しいショートカット１９は、デバイス１のディスプレイ１４によって表示される記憶域に保存される。ＵＩ１５を使用して、ユーザ２５は、特定のショートカット１９に対してフォーマットとプロトコルを指定し、並びにショートカット情報に対する変更を行うことができる。新しいショートカット１９が完成した状態で、ショートカット１９は、ＲＦＩＤタグ２と、デバイス１のディスプレイ１４によって表示されることになるパーソナル通信デバイス１との間の将来の通信時に実行することができる。
【００３５】
図８は、ＲＦＩＤタグ２に保存された予め設定されたショートカットを使用して作成する方法を示す図である。本発明により、ユーザは、ＲＦＩＤ書込装置へのアクセスを有し、ＲＦＩＤタグ２は、プログラマブルであることが考えられている。更に、ユーザは、予め設定されたショートカット１９の整合性を保証するために、書込み保護されたものとして「プログラムされた」タグを設定するオプションを有することが望ましい。新しいショートカット１９は、ＲＦＩＤタグ２内で選択又は作成することができる。ＲＦＩＤタグ２内でのショートカット１９の選択及び作成は、次の図で詳細に説明される。
【００３６】
図３で説明した方法と同様に、図８の方法は、パーソナル通信デバイス１のＲＦＩＤ読取装置１３によるチャンネル５を経由したＲＦＩＤタグ情報の受信から始まる（段階Ｓ７）。しかし、本方法では、受信したＲＦＩＤタグ情報は、ＲＦＩＤタグメモリ７に保存された予め設定されたショートカット１９を含む。予め設定されたショートカット１９は、登録又はＩＤ２２と少なくとも１つの指令２３を含む。ＲＦＩＤタグ情報が復号化された状態で、段階Ｓ８で、プロセッサ１０は、ＲＦＩＤタグ２に保存された予め設定されたショートカット２３を使用するか、又は新しいショートカット１９を選択又は作成するかのいずれかをユーザに促す。この予め設定されたショートカット１９は、ＲＦＩＤタグ２の領域に接触するか又は入ってくる全てのユーザに提案されることになる。更に、１つのＲＦＩＤタグ２は、複数の予め設定されたショートカット１９を含むことができ、そのために、ＲＦＩＤタグ２を読み込んだ後でユーザは、いくつかのショートカット１９の中で選択することができる。段階Ｓ９で、ユーザは、予め設定されたショートカット１９を使用することを判断し、段階Ｓ１３で、プロセッサは、ショートカット１９の対応する指令２３を実行する。
【００３７】
段階Ｓ８で、ユーザは、代わりに新しいショートカット１９を選択又は作成する決定をする。しかし、段階１０で、ユーザは、メモリ７中に適切な代替のショートカットを発見することができないので、段階Ｓ１１で、ユーザは、新しいショートカット１９を作成してＲＦＩＤメモリ７に保存するように促される。段階Ｓ１２で、プロセッサ１０は、新しく作成されたショートカット１９をＲＦＩＤタグのメモリに保存し、段階Ｓ１３で、新しいショートカット１９は、プロセッサ１０によって実行される。図１４により詳細に説明するように、ネットワークリソースをより効率的に使用するために、ショートカット１９の選択及び作成に優先順位付けすることができることも本発明によって考えられている。
【００３８】
図９と１０は、図８に説明した方法に従ってＲＦＩＤタグ２内で予め設定されたショートカットを使用して作成するためのシステムを提供する。図９は、予め設定されたショートカットを使用するためのシステムを示し、一方、図１０は、予め設定されたショートカットを作成するためのシステムを示す図である。図９では、ＲＦＩＤタグ２は、ＲＦＩＤタグ情報を送信しており、この情報は、パーソナル通信デバイス１のＲＦＩＤタグ読取装置１３によって受信される。ＲＦＩＤタグ読取装置１３は、ＲＦＩＤ信号を復号化し、復号化されたＲＦＩＤタグ情報をプロセッサ１０に送信する。この場合、ＲＦＩＤタグ情報は、予め設定されたショートカット１９を含み、このショートカットは、少なくともＲＦＩＤのＩＤ２２と指令２３を含む。プロセッサ１０は、ＲＦＩＤタグ２に保存された予め設定されたショートカット１９を選択するか、又はユーザインタフェース１５及びディスプレイ１４を通じて新しいショートカットを作成するようにユーザを促す。次に、プロセッサ１０は、ショートカット中の対応する指令２３を使用し、パーソナル通信デバイス１のアプリケーションソフトウエア又はプログラム１２を選択して開始することになる。
【００３９】
図１０は、図８に説明した方法に従って予め設定されたショートカットを作成するための同様のシステムを示す図である。図１０では、ユーザは、プロセッサ１０によって促された時に新しい予め設定されたショートカット１９を作成することを選択するように考えられている。更に、パーソナル通信デバイス１がＲＦＩＤ読取装置１３と同様にＲＦＩＤタグ書込装置（図示しない）を装備することが本発明によって考えられている。ユーザは、ユーザインタフェース１５とディスプレイ１４を使用して、新しい予め設定されたショートカット１９を作成する。次に、プロセッサ１０は、ＲＦＩＤ読取装置１３を通じてＲＦＩＤタグ２に予め設定されたショートカット１９の情報を転送する。新しい予め設定されたショートカット１９は、プログラムされてパーソナル通信デバイス１による将来の使用のためにＲＦＩＤタグ２のメモリに保存される。
【００４０】
図１１は、本発明の実施形態によるパブリックショートカットの使用及び作成方法を示す図である。この説明は、図３と８で既に説明した方法とこの方法の間で区別可能な特徴だけに限られる。
この場合、ＲＦＩＤ情報を受信した後に（段階Ｓ１４とＳ１５）、プロセッサ１０は、受信ＲＦＩＤタグ情報に対応する保存されたショートカット１９に対するパーソナル通信デバイス１のメモリを検索する（段階Ｓ１６とＳ２５）。段階Ｓ１７で、ショートカット１９が何も見出されない場合、段階Ｓ１８で、プロセッサは、外部メモリ又はサーバ２７に問合せを行うことになる。パーソナル通信デバイス１は、所定のアドレスにＲＦＩＤタグ情報を送信する。ＲＦＩＤタグ２は、その情報を含むことができるか、又はパーソナル通信デバイス１のメモリ９に保存された所定のアドレスがあるはずである。更に、パーソナル通信デバイス１の識別又はＩＤがサーバ２７に送信された情報に含まれる場合もあり、それは、異なる装置に対するより一層パーソナライズされたショートカット１９を可能にする。段階Ｓ１９で、サーバ２７内にＲＦＩＤタグ２に対応する指令２３が何も見出されない場合、段階２１で、ユーザは、新しいショートカット１９の作成を促される。
【００４１】
パーソナル通信デバイス１又はサーバ２７は、新しいショートカット１９を作成する要求を開始することができる。例えば、サーバは、パーソナル通信デバイス１にショートカット１９の作成を促すか、又は好ましいアクションを実行するためにデバイス１にショートカット情報を提供することになる。新しいショートカット１９を作成した後に、段階Ｓ２２で、パーソナル通信デバイス１のプロセッサ１０は、登録と保存のためにショートカット１９をサーバ２７に送信する。新しく作成されたショートカットが登録された状態で、段階Ｓ２４で、ユーザは、サーバ２７から登録に関するメッセージを受け取る。代替的に、ショートカット１９が見出された場合（段階２０）、段階Ｓ２５で、ＲＦＩＤタグ２に対応するショートカットが実行される。
【００４２】
図１２と１３は、図１１で説明した方法に従ってサーバに保存されたパブリックショートカット１９を使用及び作成するためのシステムを提供する。図１２は、パブリックショートカットを使用するためのシステムを示し、一方、図１３は、パブリックショートカットを作成するためのシステムを示す図である。これらのシステムと図９及び１０のシステムとの主な違いは、パーソナル通信デバイス１とサーバ２７の間の通信である。図１２では、ＲＦＩＤタグ情報を受信した後に、プロセッサ１０は、サーバ２７にネットワークインタフェース１８を通じて問合せを行う。簡略化するために、サーバ２７に対する接続は、インターネット２５を通している。問合せは、少なくともＲＦＩＤタグ情報を含む。対応するショートカット１９が見出されると、ショートカット１９は、同じネットワーク接続１８を通じてパーソナル通信デバイス１に戻される。
【００４３】
ＲＦＩＤタグ情報に加えて、デバイス又はユーザに関する何らかのＩＤ情報が要求に追加されており、パーソナライズされたショートカットを作成するための１つの付加的な方法を可能にすることも本発明によって考えられている。この種の手法は、ショートカットをある一定のデバイスに向けることも可能にし、例えば、デバイスＡのユーザがデバイスＢのユーザに対するショートカットを作りたい場合に、要求のＩＤがいくらか共通に認識されるとそれが可能である。
【００４４】
図１３は、サーバ２７に保存されて登録されたショートカット１９を作成するためのシステムを示す図である。図１３で、プロセッサ１０は、サーバ２７又はパーソナル通信デバイス１のどちらにも対応するショートカット１９を発見することはできない。新しいショートカットを作成するように促された状態で、ユーザは、ネットワーク接続を通じて新しいショートカット１９をサーバ２７に送信する。サーバ２７は、ネットワーク２５にアクセスするユーザが誰でも使用することができるようにショートカット１９を保存して登録する。
【００４５】
図１４は、本発明の実施形態によるショートカットの選択及び作成を優先順位付けする方法を示す図である。段階Ｓ２４で、パーソナル通信デバイス１は、ＲＦＩＤタグ２からＲＦ情報を受信する。段階Ｓ２５で、パーソナル通信デバイス１は、タグＩＤを読み込んで対応する予め設定されたショートカット１９を検索する。予め設定されたショートカット１９が存在すると、次に段階Ｓ２６で、ユーザは、予め設定されたショートカット１９を実行するように促される。ユーザが予め設定されたショートカット１９を選択すると、次に段階Ｓ２７で、予め設定されたショートカット１９が実行される。しかし、段階Ｓ２６でユーザが新しいショートカット１９の選択又は作成を判断すると、次に段階Ｓ３３で、新しいショートカット１９が作り出される。段階Ｓ３４で、新しく作り出されたショートカット１９は、段階Ｓ２７での将来の実行に備えてＲＦＩＤタグ２に保存される。
【００４６】
Ｓ２５で、ＲＦＩＤタグ２にショートカットが何も見出されない場合は、次に段階Ｓ２９で、パーソナル通信デバイス１は、デバイス１のメモリ１６内で対応するパーソナルショートカット１９を調べる。メモリ内にパーソナルショートカット１９が存在すると、次に段階Ｓ３０で、ユーザは、実行するためのパーソナルショートカット１９の選択を促される。パーソナルショートカット１９が選択されると、次に段階Ｓ２７で、ショートカット１９が実行される。段階Ｓ３０でユーザが代わりに新しいショートカットを選択又は作成する決定をすると、次に段階３３と３４で、新しいショートカットが作り出され、段階２７での将来の実行のためにメモリ１６に保存される。
【００４７】
段階Ｓ２９で、パーソナルショートカット１９が何も存在しない場合は、次に段階Ｓ３１で、パーソナル通信デバイス１は、外部メモリ２７で対応するパブリックショートカット１９を調べる。パブリックショートカット１９が見出されると、次に段階Ｓ３２で、ユーザは、段階Ｓ２７で実行するためのパブリックショートカット１９を選択するように促される。段階Ｓ３２でユーザが代わりに新しいショートカットの選択又は作成を選択すると、次に段階Ｓ３３とＳ３４で、新しいショートカットが作り出され、段階２７での将来の実行のためにメモリ１６に保存される。上述の優先順位付けは、ＲＦＩＤタグのような機械読取可能タグの読取りに関連して不要なネットワークリソースが何も使用されないことを保証するものである。
【００４８】
段階Ｓ２９が段階Ｓ２５の前に実行されることも代替的実施形態では考えられている。換言すれば、対応するパブリックショートカット１９のためにＲＦＩＤタグ２内でメモリ７を検索する前に、対応するショートカット１９をデバイス１のメモリ１６に保存するか否かが最初に判断される。しかし、いずれの場合も、段階Ｓ２５とＳ２９は、Ｓ３１の前に実行される。
ＲＦＩＤシステムの使用が開示されたが、上述のように、他の種類のＲＦタグ付けシステムが本発明に適合することも考えられている。
【００４９】
別の実施形態では、上述のように本発明がバーコード環境で使用することができることが考えられている。例えば、ＲＦＩＤタグは、パーソナル通信デバイスの様々な機能を「プログラムする」ために使用することができるバーコードタグで置き換えることができる。バーコードとパーソナル通信デバイスの間の通信は、パーソナル通信デバイスを従来のバーコード読取装置と一体化する以外に、バーコードを撮影するカメラをデバイス内で使用することによって達成することができる。次に、バーコードは、パーソナル通信デバイスによって復号化されて処理することができる。図１５と１６は、上述のバーコード環境を示す図である。
図１５で、パーソナル通信デバイス１のユーザは、インタフェース１５を使用してバーコードの画像を撮影する。画像は、デバイス１内のデジタルカメラのような撮像装置（図示しない）を使用して撮影される。バーコード３５は、１人又は複数のユーザに関連する品目上又は場所に配置される。バーコードの画像は、デバイス１のディスプレイ１４に示される。
【００５０】
図１６は、バーコードのような機械読取可能コードを使用したショートカットの選択又は作成の方法を示す図である。段階Ｓ３５で、パーソナル通信デバイス１内の撮像装置は、バーコード３５の画像を読み取るか又は撮影する。段階Ｓ３７で、パーソナル通信デバイス１内のプロセッサは、バーコードデータを復号化してパーソナル通信デバイス１内のメモリ１６を検索する。メモリ１６内に対応するショートカット１９が何も見出されない場合、次に段階Ｓ３８で、ユーザは、段階Ｓ３９で実行することができる新しいショートカット１９を選択又は作成するように促される。一方、段階Ｓ３７では、対応するパブリックショートカット１９が見出された場合、段階Ｓ３９で、保存されたショートカットが選択されて実行される。「再書込み」によるバーコード３５自体の再プログラムは考えられておらず、デバイスメモリ１６をプログラムする態様とネットワークの位置の更新だけが本発明によって考えられていることに注意すべきである。バーコードの態様は、色、形状、及びサイズを変えることができる光コード又は「２Ｄバーコード」の使用を含むことも考えられている。
更に別の実施形態では、上述のように、本発明と共に「ローカルホットスポット」を実施することができることが考えられている。例えば、ローカルホットスポットは、隣接するパーソナル通信デバイスに無線ショートカットを送信する。デバイスのユーザは、次に、本明細書の技術のいずれかを使用してデバイス内のショートカットを再プログラムすることができる。
【００５１】
本明細書に例示的な実施形態を詳細に説明したが、説明及び図面は、単に例証目的で提供されたものであり、本発明の精神及び範囲から逸脱することなくそれに対して形態及び詳細の両方における他の変形を追加することができることに注意し、かつ理解すべきである。用語及び表現は、制限のためではなく説明のために使用されたものである。図示及び説明した特徴のあらゆる均等物又はその一部分を除外するためにそれらの用語又は表現を使用することを制限するものではない。
【図面の簡単な説明】
【００５２】
【図１】本発明の実施形態によるシステム図である。
【図２】本発明の実施形態によるショートカットの詳細図である。
【図３】本発明の実施形態によるパーソナル通信デバイス内のショートカットの使用及び作成の方法を示す図である。
【図４】本発明の実施形態によるパーソナル通信デバイス内でショートカットを使用するためのシステムを示す図である。
【図５】本発明の実施形態によるパーソナル通信デバイス内でショートカットを作成するためのシステムを示す図である。
【図６Ａ】本発明の実施形態によるパーソナル通信デバイス内でパーソナルショートカットを使用するための例示的なユーザインタフェースをより詳細に示す図である。
【図６Ｂ】本発明の実施形態によるパーソナル通信デバイス内でパーソナルショートカットを使用するための例示的なユーザインタフェースをより詳細に示す図である。
【図７】本発明の実施形態によるパーソナル通信デバイス内でパーソナルショートカットを作成するための例示的なユーザインタフェースをより詳細に示す図である。
【図８】本発明の実施形態によるＲＦＩＤタグ内でショートカットを作成する方法を示す図である。
【図９】本発明の実施形態によるＲＦＩＤタグ内でショートカットを使用するためのシステムを示す図である。
【図１０】本発明の実施形態によるＲＦＩＤタグ内でショートカットを作成するためのシステムをしている。
【図１１】本発明の実施形態によるパブリックショートカットの使用と作成の方法を示す図である。
【図１２】本発明の実施形態によるパブリックショートカットを使用するためのシステムを示す図である。
【図１３】本発明の実施形態によるパブリックショートカットを作成するためのシステムを示す図である。
【図１４】本発明の実施形態によりショートカットを選択して作成するためのリソースを優先順位付けする方法を示す図である。
【図１５】本発明の実施形態による機械読取可能データの使用を示す図である。
【図１６】本発明の実施形態によりショートカットを選択して作成するための機械読取可能データの使用方法を示す図である。
【符号の説明】
【００５３】
１９  ショートカット
２０  ラッパー
２２  タグ登録又はＩＤ
【図１】
2007524154.tif 000003
【図２】
2007524154.tif 000004
【図３】
2007524154.tif 000005
【図４】
2007524154.tif 000006
【図５】
2007524154.tif 000007
【図６Ａ】
2007524154.tif 000008
【図６Ｂ】
2007524154.tif 000009
【図７】
2007524154.tif 000010
【図８】
2007524154.tif 000011
【図９】
2007524154.tif 000012
【図１０】
2007524154.tif 000013
【図１１】
2007524154.tif 000014
【図１２】
2007524154.tif 000015
【図１３】
2007524154.tif 000016
【図１４】
2007524154.tif 000017
【図１５】
2007524154.tif 000018
【図１６】
2007524154.tif 000019
【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
パーソナル通信デバイス内のパーソナライズされた機能へのショートカットを作成する方法であって、
パーソナル通信デバイス内のＲＦタグ読取装置を使用してＲＦタグ情報を受信して復号化する段階と、
前記受信したＲＦタグ情報に基づいてショートカットに関して記憶域を走査する段階と、
前記メモリ域に保存されて前記受信したＲＦタグ情報に基づいて実行される新しいショートカットを選択又は作成するためのインタフェースを提供する段階と、
を含み、
前記ショートカットは、少なくとも前記ＲＦタグ情報と、該ショートカットの前記実行に応答して前記パーソナル通信デバイス内の少なくとも１つのパーソナライズされた機能を発生させるためのアプリケーションプログラムを選択して作成するための指令とを含む、
ことを特徴とする方法。
【請求項２】
前記インタフェースを提供する段階は、前記ショートカットの前記実行に応答して指令マクロ又はスクリプトの実行を可能にするために、前記選択又は作成された新しいショートカットを前記記憶域内の前記ＲＦタグ情報に関連付けるための前記パーソナル通信デバイスに保存された前記アプリケーションプログラムを割り当てる指令を開始する段階を含むことを特徴とする請求項１に記載の方法。
【請求項３】
前記ショートカットを用いて前記ＲＦタグをプログラムする段階を更に含むことを特徴とする請求項２に記載の方法。
【請求項４】
前記記憶域は、公衆通信ネットワークを通じてアクセス可能なネットワークサーバ内のメモリであり、
前記ネットワークサーバと別のパーソナル通信デバイスの間の通信のためにパブリックネットワークへのネットワーク接続を確立する段階を更に含むことを特徴とする請求項１に記載の方法。
【請求項５】
前記アプリケーションプログラムの実行は、前記パーソナル通信デバイスの前記少なくとも１つの機能を制御することを特徴とする請求項１に記載の方法。
【請求項６】
前記少なくとも１つの機能は、データを表示すること、電話を掛けること、別のデバイスに通信を送ること、写真を撮ること、パブリックネットワークに接続すること、設定又はツールを変更すること、又は前記パーソナル通信デバイスによって実行される他の同様の機能を含むことを特徴とする請求項５に記載の方法。
【請求項７】
前記別のデバイスへの通信は、インターネット上にショートカットを公開することによって該ショートカットを別のデバイスに送信する段階を含むことを特徴とする請求項６に記載の方法。
【請求項８】
各々がパーソナル通信デバイスを有する複数のユーザに、各パーソナル通信デバイス内の異なる機能を実行するＲＦ情報を送信する段階を更に含むことを特徴とする請求項１に記載の方法。
【請求項９】
前記ネットワークサーバのメモリに保存された前記ショートカットは、前記パブリックネットワークへのアクセスを有する他のデバイス又はユーザに利用可能であることを特徴とする請求項４に記載の方法。
【請求項１０】
コンピュータに、
パーソナル通信デバイス内のＲＦタグ読取装置を使用してＲＦタグ情報を受信して復号化する段階と、
前記受信したＲＦタグ情報に基づいてショートカットに関して記憶域を走査する段階と、
前記メモリ域に保存されて前記受信したＲＦタグ情報に基づいて実行される新しいショートカットを選択又は作成するためのインタフェースを提供する段階と、
を実行させるためのパーソナル通信デバイス内のパーソナライズされた機能へのショートカットを作成するプログラムであって、
前記ショートカットは、少なくとも前記ＲＦタグ情報と、該ショートカットの前記実行に応答して前記パーソナル通信デバイス内の少なくとも１つのパーソナライズされた機能を発生させるためのアプリケーションプログラムを選択して作成するための指令とを含む、
ことを特徴とするプログラム。
【請求項１１】
前記インタフェースを提供する段階は、前記ショートカットの前記実行に応答して指令マクロ又はスクリプトの実行を可能にするために、前記選択又は作成された新しいショートカットを前記記憶域内の前記ＲＦタグ情報に関連付けるための前記パーソナル通信デバイスに保存された前記アプリケーションプログラムを割り当てる指令を開始する段階を含むことを特徴とする請求項１０に記載のプログラム。
【請求項１２】
前記ショートカットを用いて前記ＲＦタグをプログラムする段階を更に含むことを特徴とする請求項１１に記載のプログラム。
【請求項１３】
前記記憶域は、公衆通信ネットワークを通じてアクセス可能なネットワークサーバ内のメモリであり、
前記ネットワークサーバと別のパーソナル通信デバイスの間の通信のためにパブリックネットワークへのネットワーク接続を確立する段階を更に含むことを特徴とする請求項１０に記載のプログラム。
【請求項１４】
前記アプリケーションプログラムの実行は、前記パーソナル通信デバイスの前記少なくとも１つの機能を制御することを特徴とする請求項１０に記載のプログラム。
【請求項１５】
前記少なくとも１つの機能は、データを表示すること、電話を掛けること、別のデバイスに通信を送ること、写真を撮ること、パブリックネットワークに接続すること、設定又はツールを変更すること、又は前記パーソナル通信デバイスによって実行される他の同様の機能を含むことを特徴とする請求項１４に記載のプログラム。
【請求項１６】
前記別のデバイスへの通信は、インターネット上にショートカットを公開することによって該ショートカットを別のデバイスに送信する段階を含むことを特徴とする請求項１５に記載のプログラム。
【請求項１７】
各々がパーソナル通信デバイスを有する複数のユーザに、各パーソナル通信デバイス内の異なる機能を実行するＲＦ情報を送信する段階を更に含むことを特徴とする請求項１０に記載のプログラム。
【請求項１８】
前記ネットワークサーバのメモリに保存された前記ショートカットは、前記パブリックネットワークへのアクセスを有する他のデバイス又はユーザに利用可能であることを特徴とする請求項１３に記載のプログラム。
【請求項１９】
パーソナル通信デバイス内のパーソナライズされた機能へのショートカットを作成するためのシステムであって、
ＲＦ信号を受信して復号化するためのパーソナル通信デバイス内のＲＦタグ読取装置と、
特定の場所に配置されて前記ＲＦ読取装置に少なくともＲＦタグ情報を送信する少なくとも１つのＲＦタグと、
少なくとも１つのショートカットを保存するための記憶域と、
ショートカットに関して前記記憶域を走査して、前記ＲＦタグ情報に基づいて実行される新しいショートカットの選択又は作成を促すための前記パーソナル通信デバイス内のプロセッサと、
を含み、
前記ショートカットは、少なくとも前記ＲＦタグ情報と、該ショートカットの前記実行に応答して前記パーソナル通信デバイス内の少なくとも１つのパーソナライズされた機能を発生させるためのアプリケーションプログラムを選択及び実行するための指令とを含む、
ことを特徴とするシステム。
【請求項２０】
前記ショートカットの前記実行に応答して指令マクロ又はスクリプトの実行を可能にするために前記選択又は作成された新しいショートカットを前記記憶域内の前記ＲＦタグ情報に関連付けるための前記パーソナル通信デバイスに保存された前記アプリケーションプログラムを割り当てるための指令を開始するのに使用されるユーザインタフェースを更に含むことを特徴とする請求項１９に記載のシステム。
【請求項２１】
前記ＲＦタグ情報は、タグ認識情報を含むことを特徴とする請求項１９に記載のシステム。
【請求項２２】
前記少なくとも１つのショートカットを保存するための前記記憶域は、前記ＲＦタグ内のメモリを含み、
前記ＲＦタグは、書込み保護にされたプログラマブルメモリを有することを特徴とする請求項１９に記載のシステム。
【請求項２３】
ネットワークサーバと前記パーソナル通信デバイスの間の通信のためのネットワーク接続を更に含むことを特徴とする請求項１９に記載のシステム。
【請求項２４】
前記ＲＦタグは、ＲＦＩＤタグであり、前記ＲＦ読取装置は、ＲＦＩＤ読取装置であることを特徴とする請求項１９に記載のシステム。
【請求項２５】
パーソナル通信デバイス内のパーソナライズされた機能へのショートカットを作成するための装置であって、
少なくとも１つのＲＦタグからＲＦタグ情報を受信して復号化するためのＲＦタグ読取装置と、
少なくとも１つのショートカットを保存するための記憶域と、
ショートカットに関して記憶域を走査して、前記ＲＦタグ情報の前記受信に基づいて新しいショートカットの選択又は作成を促すためのプロセッサと、
を含み、
前記ショートカットは、少なくとも前記ＲＦタグ情報と、該ショートカットの実行に応答して前記パーソナル通信デバイス内の少なくとも１つのパーソナライズされた機能を発生させるためのアプリケーションプログラムを選択及び実行するための指令とを含む、
ことを特徴とする装置。
【請求項２６】
前記ショートカットの前記実行に応答して指令マクロ又はスクリプトの実行を可能にするために前記選択又は作成された新しいショートカットを前記記憶域内の前記ＲＦタグ情報に関連付けるための前記パーソナル通信デバイスに保存された前記アプリケーションプログラムを割り当てるための指令を開始するのに使用されるユーザインタフェースを更に含むことを特徴とする請求項２５に記載の装置。
【請求項２７】
前記少なくとも１つのショートカットは、予め設定されたショートカット及び新しく作成されたショートカットを含むことを特徴とする請求項２５に記載の装置。
【請求項２８】
前記少なくとも１つのショートカットを保存するための前記記憶域は、前記パーソナル通信デバイス内のメモリを含むことを特徴とする請求項２５に記載の装置。
【請求項２９】
前記ＲＦタグ情報は、少なくともタグ認識情報と指令とを含むことを特徴とする請求項２５に記載の装置。
【請求項３０】
前記ＲＦタグは、ＲＦＩＤタグであり、前記ＲＦ読取装置は、ＲＦＩＤ読取装置であることを特徴とする請求項２５に記載の装置。
【請求項３１】
前記記憶域の前記走査は、ネットワークリソースのより効率的な使用のために優先順位付けされていることを特徴とする請求項２５に記載の装置。
【請求項３２】
前記優先順位付けは、前記パーソナル通信デバイスによって受信したＲＦタグ情報に対応するショートカットに関してネットワークサーバメモリを走査する前に、該ＲＦタグメモリを走査する段階及び／又はパーソナル通信デバイスメモリを走査する段階を伴うことを特徴とする請求項２５に記載の装置。